(57)【要約】【課題】同じネットワーク識別情報が設定された無線通信デバイスが複数発見された場合でも、ユーザーが希望する無線通信デバイスとの無線接続を確立することができる無線通信装置、無線通信方法及びプログラムを提供する。【解決手段】無線通信装置１０は、アクセスポイント機能を有する無線通信デバイス２０のＳＳＩＤ（ネットワーク識別情報）を、無線通信部１６を介して探索する探索部１５１と、探索により発見された無線通信デバイス２０のＳＳＩＤのうち無線通信部１６の探索対象から一旦消失し、その後再出したＳＳＩＤを特定する特定部１５２と、特定したＳＳＩＤに対応する無線通信デバイス２０を接続対象デバイスとして、接続対象デバイスとの無線接続処理を行う無線接続処理部１５３とを備える。なお、ユーザーは無線通信装置１０の案内画面に従って、操作部２４を操作してソフトアクセスポイント３１４を一旦オフさせた後にオンさせる。【選択図】図２
2017034560.tif 000002
【特許請求の範囲】
【請求項１】
アクセスポイント機能を有する無線通信デバイスのネットワーク識別情報を、無線通信部を介して探索する探索部と、
探索により発見されたネットワーク識別情報のうち前記無線通信部の探索対象から一旦消失し、その後再出したネットワーク識別情報を特定する特定部と、
特定したネットワーク識別情報に対応する無線通信デバイスを接続対象デバイスとして、当該接続対象デバイスとの無線接続を行う無線接続処理部と
を備えたことを特徴とする無線通信装置。
【請求項２】
接続対象デバイスの無線機能をオフする第１操作を促す案内を行う第１案内部と、
接続対象デバイスの無線機能をオンする第２操作を促す案内を行う第２案内部と、を更に備え、
前記無線接続処理部は、探索により発見された無線通信デバイスのネットワーク識別情報のうち、前記第１操作により前記無線通信部の探索対象から消失し、且つ前記第２操作により再出したネットワーク識別情報に対応する無線通信デバイスを前記接続対象デバイスとして、前記接続対象デバイスとの無線接続処理を行うことを特徴とする請求項１に記載の無線通信装置。
【請求項３】
接続対象デバイスの無線機能をオフする第１操作を促す案内を行う第１案内部を更に備え、
前記接続対象デバイスは、前記第１操作により無線機能をオフしてから設定時間経過後に無線機能をオンする構成であり、
前記無線接続処理部は、探索により発見された無線通信デバイスのネットワーク識別情報のうち、第１操作により無線通信部の探索対象から消失し、その後再出したネットワーク識別情報に対応する無線通信デバイスを前記接続対象デバイスとして、前記接続対象デバイスとの無線接続を確立することを特徴とする請求項１に記載の無線通信装置。
【請求項４】
無線機能をオフする前記第１操作と、無線機能をオンする前記第２操作とのうち少なくとも一方は、前記無線通信デバイスの電源をオン・オフさせる際に操作される電源操作部の操作によって行われることを特徴とする請求項２に記載の無線通信装置。
【請求項５】
無線機能をオフする前記第１操作と、無線機能をオンする前記第２操作とのうち少なくとも前記第１操作は、前記無線通信デバイスの電源をオン・オフさせる際に操作される電源操作部の操作によって行われ、
前記無線通信デバイスは、前記電源操作部により前記第１操作が行われても、電源をオフさせることなく、無線機能をオフさせる構成であり、
前記無線接続処理部は、探索により発見された無線通信デバイスのネットワーク識別情報のうち、前記第１操作により前記無線通信部の探索対象から消失し、且つ前記第２操作により再出したネットワーク識別情報に対応する無線通信デバイスを前記接続対象デバイスとして、前記接続対象デバイスとの無線接続処理を行うことを特徴とする請求項４に記載の無線通信装置。
【請求項６】
前記第２案内部は、探索で発見された前記ネットワーク識別情報のうち、前記第１操作によりいずれか１つのネットワーク識別情報が消失してから、前記第２操作を促す案内を行うことを特徴とする請求項２、４及び５のいずれか一項に記載の無線通信装置。
【請求項７】
前記探索部の探索により発見されたネットワーク識別情報のうち前記第１操作によって消失したネットワーク識別情報に対応するデバイス識別情報を取得して記憶部に記憶しておき、その後の前記探索部の探索によって同じデバイス識別情報に対応するネットワーク識別情報が再出した場合、前記無線接続処理部は、当該ネットワーク識別情報の無線通信デバイスを接続対象デバイスとし、当該接続対象デバイスに無線接続することを特徴とする請求項２乃至６のいずれか一項に記載の無線通信装置。
【請求項８】
前記無線接続処理部は、接続対象デバイスと無線接続すると、無線中継機に接続するため自身に設定された無線接続情報を、無線接続を介して接続対象デバイスに送信し、前記接続対象デバイスが無線接続情報に従って無線中継機の無線ネットワークに参加することで、無線通信デバイスとの無線中継機を介した無線接続を確立することを特徴とする請求項１乃至７のいずれか一項に記載の無線通信装置。
【請求項９】
アクセスポイント機能を有する無線通信デバイスのネットワーク識別情報を、無線通信部を介して探索する探索ステップと、
探索により発見されたネットワーク識別情報のうち、無線通信部の探索対象から一旦消失し、その後再出したネットワーク識別情報を特定する特定ステップと、
特定したネットワーク識別情報に対応する無線通信デバイスを接続対象デバイスとして、前記接続対象デバイスとの無線接続を行う無線接続処理ステップと
を備えたことを特徴とする無線通信方法。
【請求項１０】
無線通信装置のコンピューターが実行するプログラムであって、
コンピューターに、
アクセスポイント機能を有する無線通信デバイスのネットワーク識別情報を、無線通信部を介して探索する探索ステップと、
探索により発見されたネットワーク識別情報のうち、無線通信部の探索対象から一旦消失し、その後再出したネットワーク識別情報を特定する特定ステップと、
特定したネットワーク識別情報に対応する無線通信デバイスを接続対象デバイスとして、前記接続対象デバイスとの無線接続を行う無線接続処理ステップと
を実行させるプログラム。
【発明の詳細な説明】
【技術分野】
【０００１】
本発明は、アクセスポイント機能を有する無線通信デバイスとの無線接続が可能な無線通信装置、無線通信方法及びプログラムに関する。
【背景技術】
【０００２】
従来、無線通信機能を備えた機器同士の無線通信の接続を確立するためのユーザーの設定作業を簡単にする手法が種々提案されている。例えば特許文献１には、第１の通信機器と第２の通信機器が無線通信を行う無線通信システムにおいて、第１の通信機器（例えばＰＣ）は、自身が中継装置（例えばアクセスポイント）に接続しているか否かを判定する判定部を備える。第１の通信機器は、中継装置に接続している場合、中継装置を介して第２の通信機器（例えばプリンター）と通信を行う第１接続モードの無線通信を行い、中継装置に接続していない場合、中継装置を介さずに第２の通信装置と通信を行う第２接続モードの無線通信を行う通信部を備える。
【０００３】
第２接続モードでは、中継装置に無線接続済みの第１の通信機器があるネットワーク環境に対して、新たに第２の通信機器を無線接続しようとする際、第２の通信機器は、アドホックなどの仮接続で第１の通信機器に接続する。そして、第２の通信機器は、第１の通信機器に設定された無線接続情報を、仮接続の無線通信を通じて第１の通信機器から取得する。その後、第２の通信機器は、取得した無線接続情報を使ってアクセスポイントに接続することで、第１の通信機器と第２の通信機器間が本接続で無線通信可能となる。
【０００４】
また、例えば特許文献２には、ＣＤをセットされたコンピューターからなる無線通信装置はセットアッププログラムを起動し、プリンター等の無線通信デバイスの電源をオンさせる案内を出す。電源オンされた無線通信デバイスは、電源オン以外のユーザーの操作を受けることなく、自動的に無線接続するためのモードに移行し、無線通信デバイスに対して無線通信装置（コンピューター）からアドホックな無線接続を行う技術が開示されている。
【先行技術文献】
【特許文献】
【０００５】
【特許文献１】特開２０１３−２１９４３０号公報
【特許文献２】特開２０１５−６０３８３号公報
【発明の概要】
【発明が解決しようとする課題】
【０００６】
ところで、無線通信装置に設定された仮接続用のネットワーク識別情報（ＳＳＩＤ等）と、プリンター等の無線通信デバイスが仮接続に用いるネットワーク識別情報は一致させておく必要がある。しかし、ネットワーク識別情報を無線通信デバイスごとに個別に異なるコードで設定することは、無線通信デバイスの生産性の低下に繋がる。そこで、例えば機種ごとに共通のネットワーク識別情報を設定することが望ましい。
【０００７】
しかし、無線通信デバイスの機種ごとに仮接続用のネットワーク識別情報が共通になっていると、周辺に同じ機種の無線通信デバイスが複数存在する場合、無線通信装置により複数の同じネットワーク識別情報が発見される虞がある。その場合、発見された複数の同じネットワーク識別情報のうち、ユーザーが接続を希望する無線通信デバイスを特定できず、無線通信装置と所望する無線通信デバイスとの無線接続が困難になってしまう。
【０００８】
なお、同じネットワーク識別情報が複数発見される場合としては、ネットワーク識別情報がメーカーで共通の場合、無線通信デバイスの発売時期などの時期ごとに共通の場合、生産ロットごとに共通の場合、販売地域等の地域ごとに共通の場合などもありうる。さらにネットワーク識別情報は機器ごとに一意の情報ではないので、仮に無線通信デバイスごとに個別のネットワーク識別情報が設定されていても、無線通信装置が複数の同じネットワーク識別情報を発見する場合もありうる。また、無線通信装置と無線通信デバイスとを無線接続して行う処理が、無線通信デバイスへの無線接続情報の設定処理である場合に限らず、他の処理を目的とする場合であっても、無線通信装置と無線通信デバイスとが、ネットワーク識別情報に基づき無線接続される構成であれば、この種の課題は概ね共通する。
【０００９】
本発明の目的は、同じネットワーク識別情報が設定された無線通信デバイスが複数発見された場合でも、ユーザーが希望する無線通信デバイスとの無線接続を確立することができる無線通信装置、無線通信方法及びプログラムを提供することにある。
【課題を解決するための手段】
【００１０】
以下、上記課題を解決するための手段及びその作用効果について記載する。
上記課題を解決する無線通信装置は、アクセスポイント機能を有する無線通信デバイスのネットワーク識別情報を、無線通信部を介して探索する探索部と、探索により発見されたネットワーク識別情報のうち前記無線通信部の探索対象から一旦消失し、その後再出したネットワーク識別情報を特定する特定部と、特定したネットワーク識別情報に対応する無線通信デバイスを接続対象デバイスとして、当該接続対象デバイスとの無線接続を行う無線接続処理部とを備えている。
【００１１】
この構成によれば、無線通信装置の探索部は、アクセスポイント機能を有する無線通信デバイスのネットワーク識別情報を、無線通信部を介して探索する。特定部は、探索により発見されたネットワーク識別情報のうち、無線通信部の探索対象から一旦消失し、その後再出したネットワーク識別情報を特定する。そして、無線接続処理部は、特定されたネットワーク識別情報に対応する無線通信デバイスを接続対象デバイスとして、この接続対象デバイスとの無線接続を行う。よって、無線通信装置が探索部で探索した際に、同じネットワーク識別情報が複数発見されても、そのうちユーザーが意図する無線通信デバイスに対応するネットワーク識別情報を特定して、その特定した無線通信デバイス（接続対象デバイス）と無線接続することができる。
【００１２】
上記無線通信装置は、接続対象デバイスの無線機能をオフする第１操作を促す案内を行う第１案内部と、接続対象デバイスの無線機能をオンする第２操作を促す案内を行う第２案内部と、を更に備え、前記無線接続処理部は、探索により発見された無線通信デバイスのネットワーク識別情報のうち、前記第１操作により前記無線通信部の探索対象から消失し、且つ前記第２操作により再出したネットワーク識別情報に対応する無線通信デバイスを前記接続対象デバイスとして、前記接続対象デバイスとの無線接続処理を行うことが好ましい。
【００１３】
この構成によれば、第１案内部は、接続対象デバイスの無線機能をオフする第１操作を促す案内を行う。ユーザーは案内に従って第１操作を行うことで接続対象デバイスの無線機能をオフする。次に、第２案内部は、接続対象デバイスの無線機能をオンする第２操作を促す案内を行う。ユーザーは案内に従って第２操作を行うことで接続対象デバイスの無線機能をオンする。特定部は、探索部の探索により発見された無線通信デバイスのネットワーク識別情報のうち、第１操作により無線通信部の探索対象から消失し、且つ第２操作により再出したネットワーク識別情報を接続対象デバイスのものとして特定することができる。無線接続処理部は、ネットワーク識別情報に対応する無線通信デバイスを接続対象デバイスとして、接続対象デバイスとの無線接続処理を行う。よって、ユーザーは第１案内部による案内どおりに第１操作を行い、続いて第２案内部による案内どおりに第２操作を行えば、無線機能がオフした後にオンし、この無線機能のオフとオンにより、探索により発見された無線通信デバイスのうち接続対象デバイスを無線通信装置に知らせることができる。
【００１４】
上記無線通信装置は、接続対象デバイスの無線機能をオフする第１操作を促す案内を行う第１案内部を更に備え、前記接続対象デバイスは、前記第１操作により無線機能をオフしてから設定時間経過後に無線機能をオンする構成であり、前記無線接続処理部は、探索により発見された無線通信デバイスのネットワーク識別情報のうち、第１操作により無線通信部の探索対象から消失し、その後再出したネットワーク識別情報に対応する無線通信デバイスを前記接続対象デバイスとして、前記接続対象デバイスとの無線接続を確立することが好ましい。
【００１５】
この構成によれば、第１案内部は、接続対象デバイスの無線機能をオフする第１操作を促す案内を行う。ユーザーは接続対象デバイスに対して第１操作を行って無線機能をオフし、この無線機能のオフ時点から設定時間経過すれば、無線機能はオンする。無線通信部は、探索により発見された無線通信デバイスのネットワーク識別情報のうち、第１操作により無線通信部の探索対象から消失し、且つ設定時間経過後に再出したネットワーク識別情報に対応する無線通信デバイスを接続対象デバイスとして、この接続対象デバイスとの無線接続を行う。よって、無線機能のオフ時点から設定時間経過すれば、無線機能がオンして再出するので、接続対象デバイスの無線機能をオンする操作を促す案内を行う必要がない。つまり、ユーザーは無線機能をオフする第１操作を行えば、ユーザーが意図する無線通信装置に接続対象デバイスを特定させることができる。
【００１６】
上記無線通信装置では、無線機能をオフする前記第１操作と、無線機能をオンする前記第２操作とのうち少なくとも一方は、前記無線通信デバイスの電源をオン・オフさせる際に操作される電源操作部の操作によって行われることが好ましい。
【００１７】
この構成によれば、無線機能をオフする第１操作と、無線機能をオンする第２操作とのうち少なくとも一方は、無線通信デバイスの電源をオン・オフさせる際に操作される電源操作部の操作によって行われる。電源のオン・オフの際に操作される電源操作部なので、無線機能のオン／オフに用いても違和感がない。
【００１８】
上記無線通信装置では、無線機能をオフする前記第１操作と、無線機能をオンする前記第２操作とのうち少なくとも前記第１操作は、前記無線通信デバイスの電源をオン・オフさせる際に操作される電源操作部の操作によって行われ、前記無線通信デバイスは、前記電源操作部により前記第１操作が行われても、電源をオフさせることなく、無線機能をオフさせる構成であり、前記無線接続処理部は、探索により発見された無線通信デバイスのネットワーク識別情報のうち、前記第１操作により前記無線通信部の探索対象から消失し、且つ前記第２操作により再出したネットワーク識別情報に対応する無線通信デバイスを前記接続対象デバイスとして、前記接続対象デバイスとの無線接続処理を行うことが好ましい。
【００１９】
この構成によれば、無線機能をオフする第１操作と、無線機能をオンする第２操作とのうち少なくとも第１操作は、電源操作部の操作によって行われる。このとき、電源操作部が第１操作されても、電源をオフさせることなく、無線機能をオフさせる。例えば電源をオフすると、その後、第２操作のときに、電源オフ状態にある無線通信デバイスの電源を再びオンする際の起動に時間を要し、起動後に行われる設定処理を完了するまでに時間を要することになる。しかし、電源操作部による第１操作を行ったときに、電源をオフさせないので、その後の第２操作の際に起動時間に起因する待ち時間が発生せず、比較的短時間で設定処理を終えることができる。
【００２０】
上記無線通信装置では、前記第２案内部は、探索で発見された前記ネットワーク識別情報のうち、前記第１操作によりいずれか１つのネットワーク識別情報が消失してから、前記第２操作を促す案内を行うことが好ましい。
【００２１】
この構成によれば、探索で発見されたネットワーク識別情報のうち、第１操作により少なくとも１つのネットワーク識別情報が消失してから、第２案内部によって、第２操作を促す案内が行われる。探索により発見された無線通信デバイスのネットワーク識別情報のうち、接続対象デバイスに対応するネットワーク識別情報の第１操作による消失と、その後の第２操作による再出とをより確実に行うことができる。
【００２２】
上記無線通信装置では、前記探索部の探索により発見されたネットワーク識別情報のうち前記第１操作によって消失したネットワーク識別情報に対応するデバイス識別情報を取得して記憶部に記憶しておき、その後の前記探索部の探索によって同じデバイス識別情報に対応するネットワーク識別情報が再出した場合、前記無線接続処理部は、当該ネットワーク識別情報の無線通信デバイスを接続対象デバイスとし、当該接続対象デバイスに無線接続することが好ましい。
【００２３】
この構成によれば、探索部の探索により発見されたネットワーク識別情報のうちユーザーの第１操作によって消失したネットワーク識別情報に対応するデバイス識別情報を取得して記憶部に記憶する。その後の探索部の探索で、消失したネットワーク識別情報と対応するデバイス識別情報と同じデバイス識別情報に対応するネットワーク識別情報が再出した場合に、無線通信装置は、そのネットワーク識別情報の無線通信デバイスを接続対象デバイスとして無線接続する。例えばネットワーク識別情報のみで管理すると、消失したもの再出したものとが異なる無線通信デバイスである場合もありうるが、一意のデバイス識別情報と関連付けされているので、消失したものと再出したものとが同じ無線通信デバイスであることを確認したうえで、接続対象デバイスを特定することができる。
【００２４】
上記無線通信装置では、前記無線接続処理部は、接続対象デバイスと無線接続すると、無線中継機に接続するため自身に設定された無線接続情報を、無線接続を介して接続対象デバイスに送信し、前記接続対象デバイスが無線接続情報に従って無線中継機の無線ネットワークに参加することで、無線通信デバイスとの無線中継機を介した無線接続を確立することが好ましい。
【００２５】
この構成によれば、無線接続処理部は、接続対象デバイスと無線接続すると、無線中継機に接続するため自身に設定された無線接続情報を、無線接続を介して接続対象デバイスに送信する。接続対象デバイスが無線接続情報に従って無線中継機の無線ネットワークに参加することで、無線通信装置と無線通信デバイスとの間の無線中継機を介した無線接続が確立される。よって、無線接続を介して無線接続情報を送信するので、無線中継機を介した無線通信装置と無線通信デバイスとの間の無線接続を確立できる。
【００２６】
上記課題を解決する無線通信方法は、アクセスポイント機能を有する無線通信デバイスのネットワーク識別情報を、無線通信部を介して探索する探索ステップと、探索により発見されたネットワーク識別情報のうち、無線通信部の探索対象から一旦消失し、その後再出したネットワーク識別情報を特定する特定ステップと、特定したネットワーク識別情報に対応する無線通信デバイスを接続対象デバイスとして、前記接続対象デバイスとの無線接続を行う無線接続処理ステップとを備えている。この方法によれば、無線通信装置と同様の作用効果を得ることができる。
【００２７】
上記課題を解決するプログラムは、無線通信装置のコンピューターが実行するプログラムであって、コンピューターに、アクセスポイント機能を有する無線通信デバイスのネットワーク識別情報を、無線通信部を介して探索する探索ステップと、探索により発見されたネットワーク識別情報のうち、無線通信部の探索対象から一旦消失し、その後再出したネットワーク識別情報を特定する特定ステップと、特定したネットワーク識別情報に対応する無線通信デバイスを接続対象デバイスとして、前記接続対象デバイスとの無線接続を行う無線接続処理ステップとを実行させる。このプログラムをコンピューターが実行することによって、無線通信装置と同様の作用効果を得ることができる。
【図面の簡単な説明】
【００２８】
【図１】第１実施形態における無線通信システムを示す模式図。
【図２】無線通信システムを構成する無線通信装置と無線通信デバイスとの電気的構成及び機能的構成を示すブロック図。
【図３】無線通信装置に表示される電源オフ操作を促す案内画面を示す図。
【図４】無線通信装置に表示される通知画面を示す図。
【図５】無線通信装置に表示される電源オン操作を促す案内画面を示す図。
【図６】無線接続情報の設定処理における仮接続処理を示すシーケンス図。
【図７】本接続処理を示すシーケンス図。
【図８】第２実施形態における無線接続情報の設定処理における仮接続処理を示すシーケンス図。
【図９】第３実施形態における無線接続情報の設定処理における仮接続処理を示すシーケンス図。
【発明を実施するための形態】
【００２９】
（第１実施形態）
以下、無線通信システムの第１実施形態を、図面を参照して説明する。
図１に示すように、無線通信システムＷＣＳは、無線通信装置１０と、無線通信デバイス２０と、無線中継機の一例であるアクセスポイント５０とによって構成されている。図１に示す例では、無線通信装置１０は一例としてパーソナルコンピューター（以下「ＰＣ１１」という。）からなり、無線通信デバイス２０（２０Ａ，２０Ｂ，２０Ｃ）は一例として印刷装置２１（２１Ａ，２１Ｂ，２１Ｃ）からなる。また、図１の例では、アクセスポイント５０の無線ネットワークのエリア内に、１つの無線通信装置１０と複数（図１では３つ）の無線通信デバイス２０（２０Ａ〜２０Ｃ）が配置されている。本例において、無線通信装置１０、無線通信デバイス２０及びアクセスポイント５０は、ＩＥＥＥ８０２．１１の規格に準じた無線通信機能を備える。以下では、ＩＥＥＥ８０２．１１に準じた通信を無線ＬＡＮ通信というものとする。
【００３０】
図１に示すように、無線通信装置１０（ＰＣ１１）は、本体１２と操作部１３と表示部１４とを備えている。本体１２には、ＣＤ又はＤＶＤ等からなるセットアップディスク６０をセット可能な挿入口１２Ａ（図１参照）が設けられている。セットアップディスク６０には、無線通信デバイス２０のセットアップに必要な各種のプログラムが記憶されている。挿入口１２Ａにセットされたセットアップディスク６０に記憶された各種のプログラムは、不図示の読取装置により読み出され、無線通信装置１０内へインストールされる。各種プログラムには、無線通信デバイス２０を駆動させるドライバープログラムの他、無線通信デバイス２０にアクセスポイント５０を介した無線通信を可能とするために必要な無線接続情報を設定することを支援する無線設定支援プログラム等が含まれる。なお、無線通信装置１０は、ＰＣ１１である場合、図１に一例として示すラップトップ型ＰＣに限らず、デスクトップ型ＰＣやタブレットＰＣ等でもよく、さらにＰＣ１１以外に、無線通信デバイス２０と無線ＬＡＮ通信が可能な携帯情報端末（ＰＤＡ（Personal Digital Assistants））又はスマートフォン等のスマートデバイスなどであってもよい。
【００３１】
図１に示すように、無線通信デバイス２０の一例を構成する印刷装置２１は、略直方体形状を有する本体２２と、本体２２の前面（図１では右手前面）に配置された操作パネル２３とを備える。操作パネル２３には、操作部２４及び表示部２５が設けられている。操作部２４は、電源操作部の一例である電源ボタン２４Ａ（電源スイッチ）と、表示部２５に表示されたメニューの中から希望する項目を選択する選択スイッチや印刷の実行を指示する際に操作される実行ボタン等を含む他の操作部の一例としての各種の操作ボタン２４Ｂ（操作スイッチ）とを備える。
【００３２】
本体２２の下部には、複数枚の用紙等の媒体を収容可能なカセット２６が着脱可能な状態で挿着されている。印刷装置２１は、例えば無線通信装置１０（例えばＰＣ１１）から無線ＬＡＮ通信を介して印刷データを受信すると、カセット２６から媒体を本体２２内の印刷部（図示せず）へ給送し、給送された媒体に印刷部が印刷データに基づく文書又は画像を印刷する。また、印刷装置２１は、ＰＣ１１と通信ケーブル（図示せず）を介して有線で通信可能に接続し、ＰＣ１１から有線で受信した印刷データに基づく印刷を行うこともできる。さらに印刷装置２１を、例えばメモリーカード又はＵＳＢメモリー等の携帯型記憶媒体を本体２２の挿入口に挿着して、操作部２４を操作して携帯型記憶媒体から不図示の読取装置で読み込んだ画像データ等に基づく画像等を印刷媒体に印刷させるスタンドアロンとして使用することも可能である。
【００３３】
図２に示すように、無線通信装置１０は、第１制御部１５及び無線通信部１６を備えている。無線通信部１６は、ＩＥＥＥ８０２．１１に準じた無線ＬＡＮ通信をするための電子回路を備える。第１制御部１５は、図示しないＣＰＵ、記憶部１７及び入出力回路等を備える。記憶部１７は、図示しないメインメモリー及びＲＯＭ等により構成される。第１制御部１５は、記憶部１７に記憶された各種のプログラムをＣＰＵで実行することによって無線通信部１６の制御及び表示部１４の表示制御等を含む各種の制御及び処理を行う。
【００３４】
プログラムには、ＯＳ（Operating System）の他、セットアップディスク６０又はインターネット等を用いてインストールされた無線設定支援プログラムが含まれている。無線設定支援プログラムは、ユーザーによってセットアップディスク６０が本体１２の挿入口１２Ａ（図１参照）にセットされたとき、あるいは電子マニュアル（プログラム起動リンクを含むデータ）の「無線設定」の項目を選択操作したときなどに、これらの操作をトリガーとして第１制御部１５を構成するＣＰＵによって起動される。本例では、無線設定支援プログラムを実行する第１制御部１５（コンピューター）により、第１制御部１５を、探索部１５１、特定部１５２及び無線接続処理部１５３として機能させる。
【００３５】
探索部１５１は、無線通信部１６を介してネットワーク識別情報の一例であるＳＳＩＤ（Service Set Identifire）を探索（スキャン）する機能を有する。探索部１５１は、例えばアクセスポイント機能を有する無線通信デバイス２０（例えば印刷装置２１）のＳＳＩＤを探索（スキャン）する。本例の無線通信デバイス２０の一例である印刷装置２１には、機種ごとに共通のネットワーク識別情報として例えば仮接続用のＳＳＩＤが予め設定されている。第１制御部１５は、無線設定支援プログラムの起動によって、無線通信デバイス２０にネットワーク識別情報の一例である本接続用のＳＳＩＤを設定する無線設定処理を支援する。
【００３６】
無線通信装置１０は、アクセスポイント５０の無線ネットワークに参加する際に必要なネットワーク識別情報の一例である本接続用のＳＳＩＤが既に設定されている。記憶部１７には、アクセスポイント５０と本接続するために必要な本接続用のＳＳＩＤと暗号鍵（暗号化キー）を含む無線接続情報が記憶されている。本例では、無線通信装置１０は、無線通信デバイス２０の初回使用時に電源を初めてオンさせたときに、無線通信デバイス２０にネットワーク識別情報の一例である本接続用のＳＳＩＤを設定する。なお、本実施形態では、ＳＳＩＤ及び暗号鍵が、無線接続情報の一例に相当する。
【００３７】
無線通信装置１０は、無線設定支援時においては、設定対象の無線通信デバイス２０と無線の仮接続を確立し、無線通信装置１０に予め設定されているアクセスポイント５０の無線ネットワークへの参加に必要な本接続用のＳＳＩＤ及び暗号鍵を含む無線接続情報を、通信相手の要求に応じて仮接続の無線通信を介して無線通信デバイス２０へ送信する。無線通信装置１０は、本接続用のＳＳＩＤを無線通信デバイス２０へ送信することで、無線通信デバイス２０に本接続用のＳＳＩＤを設定する。
【００３８】
探索部１５１は、無線通信デバイス２０の無線設定を支援するときは、ＳＳＩＤスキャンにより仮接続用のＳＳＩＤを探索し、仮接続用のＳＳＩＤを発見すると、発見した仮接続用のＳＳＩＤを設定対象として記憶部１７に保存する。探索部１５１がスキャンする仮接続用のＳＳＩＤは、予め無線設定支援プログラムに含まれている値が用いられる。このとき、探索部１５１は、発見した仮接続用のＳＳＩＤに対応する無線通信デバイス２０を識別可能なデバイス識別情報の一例として、無線通信デバイス２０ごとに一意なＭＡＣアドレスを取得し、取得したＭＡＣアドレスを記憶部１７に一時保存する。
【００３９】
無線接続処理部１５３は、探索部１５１が発見した仮接続用のＳＳＩＤに対応する無線通信デバイス２０を接続対象デバイスとして、接続対象デバイスとの無線接続処理（仮接続）を行う。無線接続処理部１５３は、はじめにＰＣ１１のＯＳに問い合わせて、予め設定されているアクセスポイント５０のＳＳＩＤ（本接続用のＳＳＩＤ）と暗号鍵とを含む無線接続情報を取得する。また、ＯＳに設定されている暗号鍵は、例えば無線設定支援プログラムにおいて予め決められた規則に基づいてＳＳＩＤから生成されたものである。
【００４０】
ところで、同一のネットワークエリア内に、同じ機種の印刷装置２１からなる無線通信デバイス２０が複数台存在する場合、探索部１５１はＳＳＩＤスキャンしたときに、同じ仮接続用のＳＳＩＤを複数発見することになる。この場合、無線通信装置１０は、設定対象の無線通信デバイス２０を特定する必要がある。このように探索により仮接続用のＳＳＩＤが複数発見された場合に、探索で発見された複数の仮接続用のＳＳＩＤのうち設定対象デバイスとなる１つの無線通信デバイス２０に対応する仮接続用のＳＳＩＤを特定するために、特定部１５２が用いられる。
【００４１】
図２に示す特定部１５２は、探索部１５１の探索により発見された無線通信デバイス２０に設定された仮接続用のＳＳＩＤのうち、無線通信部１６の探索対象から一旦消失し、その後、消失したものと同じＭＡＣアドレスに対応するＳＳＩＤが再出すると、その再出したＳＳＩＤを、設定対象の無線通信デバイス２０として特定する機能を有する。特定部１５２は、設定対象として特定した無線通信デバイス２０のＭＡＣアドレスを仮接続の接続対象として特定する。
【００４２】
無線接続処理部１５３は、特定部１５２により特定された仮接続用のＳＳＩＤに対応する無線通信デバイス２０を接続対象デバイスとして、接続対象デバイスとの無線接続処理（仮接続）を行う。また、無線接続処理部１５３は、無線設定支援プログラムの実行時以外のときは、無線通信デバイス２０と本接続する無線接続処理を行う。なお、本接続には、アクセスポイント５０を介して無線通信デバイス２０と接続する無線接続処理と、アクセスポイント５０を介さず無線通信デバイス２０と直接接続する無線接続処理とがある。
【００４３】
また、第１制御部１５は、無線通信デバイス２０の無線機能をオフする第１操作をユーザーに促す案内画面７１（図３参照）を表示部１４に表示させる第１案内部１５４と、第１操作を行ったユーザーに、次に無線機能をオンする第２操作を促す案内画面７３（図５）を表示部１４に表示させる第２案内部１５５とを備える。本例では、第１操作と第２操作の両方を、無線通信デバイス２０の電源をオン・オフさせる際に操作される電源ボタン２４Ａの操作により行う。詳しくは、第１操作を電源オフ操作とし、第２操作を電源オン操作としている。なお、第１操作及び第２操作を共に電源ボタン２４Ａの操作で行うことに限定されず、第１操作及び第２操作のうち少なくとも一方を電源ボタン２４Ａの操作で行ってもよい。また、第１操作及び第２操作のうち一方又は両方を電源ボタン２４Ａ以外の他の操作ボタン２４Ｂの操作で行ってもよい。また、第１案内部１５４及び第２案内部１５５が、第１操作及び第２操作を促す案内は、表示案内に限らず、音声案内でもよい。
【００４４】
図２に示すように、例えば印刷装置２１である無線通信デバイス２０は、第２制御部３１、無線通信部３２及び印刷部３３を備えている。印刷部３３は、電子写真方式又はインクジェット方式等の周知の印刷方式によって、普通紙、写真紙、合成樹脂製シートなどの媒体に印刷データに基づく文書又は画像を印刷する。また、印刷装置２１は、印刷部３３を構成する印刷ヘッドが走査方向に往復移動しながら１行ずつ印刷するシリアルプリンターでもよいし、１行分の印刷を一度にできる長さを有する長尺状の印刷ヘッドを備えたラインプリンターでもよい。印刷部３３は、印刷対象の媒体を搬送する搬送機構及びその動力源となる搬送モーターと、媒体にインクを吐出して印刷する印刷ヘッドとを備える。
【００４５】
無線通信部３２は、ＩＥＥＥ８０２．１１に準じた無線ＬＡＮ通信をするための電子回路を備える。第２制御部３１は、本体２２内に設置された基板上の集積回路（ＩＣチップ）等により構成されるコンピューターからなり、図示しないＣＰＵ、記憶部３４及び入出力回路等を備える。記憶部３４は、例えばＲＡＭ等からなるメインメモリー及び不揮発性メモリーにより構成される。記憶部３４には、無線設定処理用プログラム、及び無線通信デバイス２０の動作（例えば印刷動作）を制御する制御プログラムを含む各種のプログラムが格納されている。
【００４６】
図２に示す第２制御部３１は、不揮発性メモリーに格納されている制御プログラムをメインメモリーにロードしてＣＰＵで実行することによって、表示部２５、無線通信部３２及び印刷部３３等を制御する。また、第２制御部３１を構成するＣＰＵが無線設定処理用プログラムを実行することにより、第２制御部３１を、仮接続通信部３１１、本接続通信部３１２及び通信設定部３１３及びソフトアクセスポイント３１４（以下「ソフトＡＰ３１４」ともいう。）として機能させる。ソフトＡＰ３１４は、無線通信デバイス２０を仮想的に無線アクセスポイントとして機能させる。無線通信デバイス２０は、ソフトＡＰ３１４を備えることで、アクセスポイント機能を有する。
【００４７】
仮接続通信部３１１は、無線設定処理を行うときにソフトＡＰ３１４のアクセスポイント機能を用いて無線通信装置１０と仮接続で無線接続する。仮接続通信部３１１は、仮接続用のＳＳＩＤを、無線通信部３２を介してブロードキャストする。そして、仮接続通信部３１１は、仮接続用のＳＳＩＤをスキャンにより発見した無線通信装置１０と仮接続の無線接続を確立する。第２制御部３１は、仮接続の無線通信を介して無線通信装置１０から本接続用のＳＳＩＤ及び暗号鍵を含む無線接続情報を取得する。無線通信装置１０がアクセスポイント５０との接続履歴がある場合、第２制御部３１は、無線通信装置１０から本接続用のＳＳＩＤとしてアクセスポイント５０のＳＳＩＤを取得する。また、無線通信装置１０がアクセスポイント５０との接続履歴がない場合、第２制御部３１は、無線通信装置１０から無線通信装置１０とアドホックな無線通信を行うことが可能なＳＳＩＤを本接続用に取得する。
【００４８】
本接続通信部３１２は、無線通信部３２を介してＳＳＩＤスキャンを行って本接続用のＳＳＩＤを発見すると、本接続用のＳＳＩＤに基づきアクセスポイント５０と無線接続し、インフラストラクチャーモードでアクセスポイント５０を介して無線通信装置１０と無線接続する。また、本接続通信部３１２は、アクセスポイント５０を無線通信部３２の探索エリア内に発見できない場合、無線通信装置１０とアドホックモードで無線通信を確立する。
【００４９】
通信設定部３１３は、無線通信装置１０から受信した無線接続情報に基づいて本接続の設定を行う。通信設定部３１３は、無線通信装置１０から仮接続の無線通信を介してアクセスポイント５０のＳＳＩＤを含む無線接続情報を受信すれば、その無線接続情報と共にインフラストラクチャーモードを設定する。また、通信設定部３１３は、無線通信装置１０のアドホックモードのＳＳＩＤを含む無線接続情報を受信すれば、その無線接続情報と共にピアツーピアの無線通信モードを設定する。
【００５０】
図２に示す無線通信装置１０内の第１案内部１５４は、ユーザーが希望する接続対象デバイスである無線通信デバイス２０の無線機能を実現するソフトＡＰ３１４をオフする第１操作の一例として電源オフ操作をユーザーに促す案内画面７１（図３）を表示部１４に表示させる。さらに第１案内部１５４は、探索部１５１による探索（スキャン）の結果、電源オフ操作された無線通信デバイス２０に対応する仮接続用のＳＳＩＤが、無線通信部１６の探索対象（探索エリア）から消えることで、ネットワーク探索一覧から消えると、その消えた旨を通知する図４に示す通知画面７２を表示部１４に表示させる。
【００５１】
第２案内部１５５は、接続対象デバイスである無線通信デバイス２０の無線機能を実現するソフトＡＰ３１４をオンする第２操作の一例として電源オン操作をユーザーに促す案内画面７３を表示部１４に表示させる。第２案内部１５５は、探索により発見された無線通信デバイス２０のＳＳＩＤのうち、第１操作（例えば電源オフ操作）により無線通信部１６の探索対象からいずれか１つのＳＳＩＤが消失したことを確認してから、第２操作を促す案内画面７３を表示させる。
【００５２】
無線接続処理部１５３は、探索により発見された無線通信デバイス２０のＳＳＩＤのうち、無線通信部１６の探索対象から第１操作（例えば電源オフ操作）により消失し、且つその後の第２操作（例えば電源オン操作）により再出した仮接続用ＳＳＩＤに対応する無線通信デバイス２０を接続対象デバイスとする。そして、無線接続処理部１５３は、接続対象デバイスとして特定した無線通信デバイス２０との無線接続（仮接続）を確立する。
【００５３】
次に図６を参照しながら、無線通信システムＷＣＳの作用を説明する。アクセスポイント５０が無線中継機（以下、単に「中継機」ともいう。）となる無線ＬＡＮを介して無線通信デバイス２０を無線通信装置１０に接続するための無線通信方法を説明する。ここでは、無線通信装置１０がＰＣ１１であり、無線通信デバイス２０が印刷装置２１である場合を例にして説明する。
【００５４】
ＰＣ１１には、アクセスポイント５０が中継機となる無線ＬＡＮのＳＳＩＤ及び暗号鍵が予め設定されており、ＰＣ１１とアクセスポイント５０とは無線ＬＡＮのインフラストラクチャーモードにより接続されているものとする。
【００５５】
ところで、印刷装置２１は、購入後初めて使用するときは無線接続情報が未設定である。このため、ユーザーは印刷装置２１に無線接続情報をまず設定する必要がある。しかし、ユーザーが印刷装置２１の取扱いに不慣れな初心者である場合、操作部２４を操作してＳＳＩＤ及び暗号鍵等の必要な無線接続情報を印刷装置２１に入力して設定する無線設定作業は比較的複雑でかつ面倒である。そこで、本実施形態では、印刷装置２１を購入したときに同梱されているセットアップディスク６０をユーザーがＰＣ１１の挿入口１２Ａにセットすれば、ＰＣ１１内の読取装置によりセットアップディスク６０から無線設定支援プログラムが自動的にロードされてＰＣ１１にインストールされる。そして、インストールされた無線設定支援プログラムを、第１制御部１５を構成するＣＰＵが実行することにより、第１制御部１５が各部１５１〜１５５として機能する。ＰＣ１１の第１制御部１５内の記憶部１７には、無線設定支援プログラムのインストール時に書き込まれた仮接続用ＳＳＩＤが設定されている。また、印刷装置２１の第２制御部３１内の記憶部３４には、製品出荷前に書き込まれた仮接続用ＳＳＩＤが設定されている。仮接続用ＳＳＩＤは、印刷装置２１の機種ごとに共通のコードとなっている。
【００５６】
そして、ＰＣ１１内の第１制御部１５内の各機能部によって、ＰＣ１１がその仮接続用ＳＳＩＤをスキャンして印刷装置２１を探索する。ＰＣ１１は探索で発見した印刷装置２１とピアツーピア（Ｐ２Ｐ）で仮接続する。ＰＣ１１は設定済みのアクセスポイント５０の無線接続情報（本接続用ＳＳＩＤ等）を、仮接続を介した無線通信によって印刷装置２１に送る。印刷装置２１は、受信した無線接続情報（本接続用ＳＳＩＤ等）を自身の記憶領域に書き込むことで設定する。その結果、その無線接続情報を用いて印刷装置２１はアクセスポイント５０に本接続し、アクセスポイント５０を介してＰＣ１１とインフラストラクチャーモードで無線通信が可能になる。
【００５７】
また、図１に示すように、ＰＣ１１の無線通信可能エリア内には、複数（同図の例では３つ）の無線通信デバイス２０（例えば印刷装置２１）が配置されている。図１の例では、複数の印刷装置２１のうち少なくとも２つは同一機種であり、機種に共通の同じ仮接続用ＳＳＩＤが設定されており、本接続用のＳＳＩＤが未設定であるものとする。例えばユーザーが電源ボタン２４Ａを操作して印刷装置２１の電源を初めてオンした際に、無線設定処理を行わなかった場合、仮接続用ＳＳＩＤが設定されたままで、本接続用のＳＳＩＤを含む無線接続情報が未設定のままとなっている。この場合、仮接続用ＳＳＩＤが設定された複数の印刷装置２１（例えば印刷装置２１Ａ〜２１Ｃ）が、ＰＣ１１の無線通信部１６の通信エリア内に存在することになる。
【００５８】
ここで、図１に示すように、ＰＣ１１の周辺に、無線設定が未設定の同一機種の印刷装置２１が電源オン状態で複数存在する場合、ＰＣ１１は、探索部１５１により探索した際に、同じコードの仮接続用ＳＳＩＤを複数発見することになる。このため、ＰＣ１１の第１制御部１５は、ユーザーが設定を希望する印刷装置２１（例えば印刷装置２１Ｂ）を特定することができない。
【００５９】
図６に示すＰＣ１１が行う処理は、ユーザー操作をトリガーとしてＰＣ１１が無線設定支援プログラムを起動することより開始される。具体的には、印刷装置２１に同梱されているセットアップディスク６０をＰＣ１１の挿入口１２Ａにセットすると、セットアップディスク６０から無線設定支援プログラムが第１制御部１５に自動的にロードされて起動される。無線設定支援プログラムが起動すると、第１制御部１５は無線設定支援処理を行う。このセットアップディスク６０をＰＣ１１にセットするユーザーの操作が、ＰＣ１１が簡単接続処理（無線設定支援処理）を開始するトリガーとされる。また、図６に示す印刷装置２１が行う処理は、ユーザーが電源ボタン２４Ａを操作して印刷装置２１の電源をはじめてオンにする操作をトリガーとして、印刷装置２１の簡単接続処理（無線設定処理）が開始される。すなわち、本例の無線設定支援処理は、印刷装置２１に同梱されているセットアップディスク６０を、ユーザーがＰＣ１１の挿入口１２Ａへセットし、かつ印刷装置２１の電源をはじめてオン操作することによって有効に機能する。また、ＰＣ１１の表示部１４に開いた電子マニュアルの無線設定の項目の中に用意されたリンクを選択する操作をトリガーとして、ＰＣ１１はそのリンクに関連づけられた無線設定支援プログラムを起動させることで、簡単接続処理を開始する。
【００６０】
起動した無線接続処理部１５３は、はじめにアクセスポイント５０のＳＳＩＤと暗号鍵（つまり本接続用のＳＳＩＤと暗号鍵）を取得する（Ｓ１１）。具体的には、無線接続処理部１５３は、アクセスポイント５０のＳＳＩＤと暗号鍵をＰＣ１１のＯＳに問い合わせて取得する。ここで取得されるＳＳＩＤには予め無線設定支援プログラムに含まれている値が用いられる。また、ＯＳに設定されている暗号鍵は、無線設定支援プログラムにおいて予め決められた規則に基づいてＳＳＩＤから生成されたものである。
【００６１】
次に無線接続処理部１５３は、アクセスポイント５０の無線ＬＡＮとの接続を切断する（Ｓ１２）。具体的には、無線接続処理部１５３は、アクセスポイント５０のＳＳＩＤによって識別されるインフラストラクチャーモードの無線ＬＡＮとの接続を切断するように無線通信部１６に指示する。これにより、ＰＣ１１は、ＳＳＩＤのスキャンが可能な状態になる。そして、ＰＣ１１はＳＳＩＤをスキャンする（Ｓ１３）。スキャン中のＰＣ１１は、仮接続用ＳＳＩＤを発見したか否かを判断する（Ｓ１４）。なお、本実施形態では、ステップＳ１３の処理が、探索ステップの一例に相当する。
【００６２】
一方、ユーザーは、印刷装置２１（２１Ｂ）の電源ボタン２４Ａをはじめて操作することにより、印刷装置２１に簡単接続処理を開始させる。すなわち、印刷装置２１はユーザーによってはじめて電源ボタン２４Ａが操作されることによって、簡単接続処理を開始する。そして、まずソフトＡＰ３１４をオンする（Ｓ３１）。すなわち、ソフトＡＰ３１４を起動させる。
【００６３】
そして、ソフトＡＰ３１４は印刷装置２１の無線通信部３２によって、仮接続用ＳＳＩＤと属性とをブロードキャストする（Ｓ３２）。ここでブロードキャストされる属性は、印刷装置２１がアクセスポイント（中継機）であることを示す情報である。なお、印刷装置２１は、ソフトＡＰ３１４に替え、あるいはソフトＡＰ３１４に加え、アドホックモードでピアツーピア（Ｐ２Ｐ）での無線通信が可能なアドホックモード通信部を、アクセスポイント機能を持つために備えることもできる。アドホックモード通信部を起動した場合、仮接続用ＳＳＩＤと共に印刷装置２１の属性が無線通信部３２によってブロードキャストされる。属性は、アドホックモードでの無線ＬＡＮ通信において親機であることを示す情報を含む。また、アクセスポイント機能は、Ｗｉ−Ｆｉダイレクト（登録商標）によるものでもよい。
【００６４】
こうして印刷装置２１が仮接続用ＳＳＩＤをブロードキャストすることによって、スキャン中のＰＣ１１は、仮接続用ＳＳＩＤを発見する（Ｓ１４で肯定判定）。そして、発見した仮接続用ＳＳＩＤに対応する印刷装置２１のＭＡＣアドレス（デバイス識別情報）を記憶部１７の所定記憶領域に保存する（Ｓ１５）。次にＰＣ１１は、ユーザーに印刷装置２１の電源オフ操作を促す案内画面７１（図３）を表示部１４に表示させる（Ｓ１６）。すなわち、第１案内部１５４が、電源オフ操作を促す案内をする図３に示す案内画面７１を表示部１４に表示させる。この案内画面７１の表示の後、ＰＣ１１は仮接続用ＳＳＩＤをスキャンする（Ｓ１７）。そして、スキャン中のＰＣ１１は、仮接続用ＳＳＩＤが１つ以上消えたか否かを判断する（Ｓ１８）。仮接続用ＳＳＩＤが１つ以上消えなかった場合は、ステップＳ１７に戻り、仮接続用ＳＳＩＤが１つ以上消えるまでスキャンを継続する。
【００６５】
一方、表示部１４に表示された図３に示す案内画面７１を見たユーザーは、接続対象の印刷装置２１（２１Ｂ）の電源ボタン２４Ａをオフ操作する。すると、そのオフ操作による電源オフ操作信号の入力を受け付けた第２制御部３１は、印刷装置２１（２１Ｂ）の電源をオフする（Ｓ３３）。そして、第２制御部３１は、印刷装置２１の電源のオフに伴ってソフトＡＰ３１４をオフする（Ｓ３４）。詳しくは、第２制御部３１は、電源オフ操作の入力をトリガーにして電源オフ時の終了処理を開始し、この終了処理の中でソフトＡＰ３１４をオフさせる。ソフトＡＰ３１４のオフによって、仮接続用ＳＳＩＤ等のブロードキャストが停止される。その結果、ＰＣ１１において仮接続用ＳＳＩＤが１つ消えることになる（Ｓ１８で肯定判定）。次に、消えた仮接続用ＳＳＩＤに対応するＭＡＣアドレスを接続用のデバイス識別情報として記憶部１７の所定記憶領域に保存する。このとき、ＰＣ１１の第１案内部１５４は、図４に示すように電源オフを確認した旨を通知する通知画面７２を表示部１４に表示する。
【００６６】
次に、ＰＣ１１は、印刷装置２１の電源オン操作を促す図５に示す案内画面７３を表示部に表示させる（Ｓ２０）。すなわち、第２案内部１５５が、ユーザーに電源オン操作を促す図５に示す案内画面７３を表示部１４に表示させる。その後、ＰＣ１１は仮接続用ＳＳＩＤをスキャンする（Ｓ２１）。そして、スキャン中のＰＣ１１は、接続用ＭＡＣアドレスと一致する仮接続用ＳＳＩＤを発見したか否かを判断する（Ｓ２２）。接続用ＭＡＣアドレスと一致する仮接続用ＳＳＩＤを発見できない場合は、ステップＳ２１に戻り、接続用ＭＡＣアドレスと一致する仮接続用ＳＳＩＤを発見するまでスキャンを継続する。
【００６７】
一方、図５に示す案内画面７３を見たユーザーは、案内画面７３の指示に従って接続対象の印刷装置２１（２１Ｂ）の電源ボタン２４Ａをオン操作する。すると、その電源オン操作を受け付けた印刷装置２１は電源をオンする（Ｓ３５）。電源オンすると、次にソフトＡＰ３１４をオンする（Ｓ３６）。すなわち、印刷装置２１は、ソフトＡＰ３１４を起動させる。
【００６８】
そして、ソフトＡＰ３１４は、印刷装置２１の無線通信部３２によって、仮接続用ＳＳＩＤと属性とをブロードキャストする（Ｓ３２）。ここでブロードキャストされる属性は、印刷装置２１がアクセスポイント（中継機）であることを示す情報である。
【００６９】
こうして印刷装置２１が仮接続用ＳＳＩＤをブロードキャストすることによって、スキャン中のＰＣ１１は、接続用ＭＡＣアドレスと一致する仮接続用ＳＳＩＤを発見する（Ｓ２２で肯定判定）。そして、発見した仮接続用ＳＳＩＤに基づき印刷装置２１とピアツーピア（Ｐ２Ｐ）で仮接続する（Ｓ２３）。このとき、印刷装置２１では、ソフトＡＰ３１４がＰＣ１１とピアツーピアで仮接続する（Ｓ３８）。なお、本実施形態では、ステップＳ１７〜Ｓ１９，Ｓ２１，Ｓ２２の各処理が、特定ステップの一例に相当する。また、ステップＳ２３の処理が、無線接続処理ステップの一例に相当する。
【００７０】
こうして印刷装置２１とＰＣ１１とが仮接続されると、次にＰＣ１１と印刷装置２１との間で本接続処理を行う（Ｓ３９）。
次に図７を参照して本接続処理について説明する。図７に示すように、印刷装置２１は、本接続の確立に必要な無線接続情報をＰＣ１１に要求する（Ｓ４１）。すなわち、印刷装置２１は、アクセスポイント５０が中継機となる無線ＬＡＮを介して印刷装置２１をＰＣ１１に本接続するのに必要な無線接続情報をＰＣ１１に要求する。
【００７１】
ＰＣ１１は、本接続の無線接続情報を要求されると、印刷装置２１と仮接続した状態でアクセスポイント５０のＳＳＩＤと暗号鍵を印刷装置２１に送信する（Ｓ２４）。
続いてＰＣ１１は、印刷装置２１との仮接続を切断する（Ｓ２５）。具体的には、アクセスポイント５０のＳＳＩＤと暗号鍵を印刷装置２１に送信した後に、第１制御部１５は、無線通信部１６に指示することで、仮接続に用いた仮接続用ＳＳＩＤで特定される無線ＬＡＮとの接続を切断する。
【００７２】
続いてＰＣ１１は、アクセスポイント５０の無線ＬＡＮとの再接続を確立する（Ｓ２６）。具体的には、無線接続処理部１５３は、アクセスポイント５０のＳＳＩＤによって識別される無線ＬＡＮとの接続を確立するように無線通信部１６に指示する。その結果、無線通信部１６は規格で定められたインフラストラクチャーモードの通信方式でアクセスポイント５０との接続を確立する。
【００７３】
印刷装置２１は、仮接続したＰＣ１１から本接続用のＳＳＩＤ及び暗号鍵を含む無線接続情報を受信すると、本接続用のＳＳＩＤと暗号鍵を設定する（Ｓ４２）。具体的には、通信設定部３１３は、ＰＣ１１との仮接続中に受信したアクセスポイント５０のＳＳＩＤと暗号鍵を無線通信部３２に設定する。
【００７４】
続いて印刷装置２１は、アクセスポイント５０のＳＳＩＤと暗号鍵を用いてアクセスポイント５０の無線ＬＡＮとの本接続を確立する（Ｓ４３）。具体的には、本接続通信部３１２は、アクセスポイント５０のＳＳＩＤによって識別される無線ＬＡＮとの接続を確立するように無線通信部３２に指示する。その結果、印刷装置２１の無線通信部３２は、規格で定められたインフラストラクチャーモードの通信方式でアクセスポイント５０を中継機としてＰＣ１１との本接続を確立する。
【００７５】
以上の処理によって、接続対象の印刷装置２１とＰＣ１１とは、アクセスポイント５０を介したインフラストラクチャーモードの無線ＬＡＮで接続された状態となる。すなわち、印刷装置２１とＰＣ１１とはアクセスポイント５０を中継器としてインフラストラクチャーモードの通信方式で無線通信できる状態となる。
【００７６】
以上説明した第１実施形態によると、ユーザーは、印刷装置２１に同梱されているセットアップディスク６０をＰＣ１１にセットし、印刷装置２１の電源をオンにするだけで、印刷装置２１とＰＣ１１とをインフラストラクチャーモードの無線ＬＡＮで接続することができる。そして、ＰＣ１１にソフトＡＰ３１４がインストールされているか否かに関わらず、印刷装置２１とＰＣ１１とを仮接続した後に、アクセスポイント５０を中継器とするインフラストラクチャーモードの無線ＬＡＮで本接続することができる。したがって、本実施形態によると、印刷装置２１にソフトＡＰ３１４がインストールされているか否かに関わらず、無線通信装置としてのＰＣ１１と、第２無線通信装置のセキュアな無線通信の接続（本接続）を容易に確立することができる。
【００７７】
以上詳述した第１実施形態によれば、以下に示す効果を得ることができる。
（１）探索部１５１は、アクセスポイント機能を有する無線通信デバイス２０（例えば印刷装置２１）を探索する。探索により発見された無線通信デバイス２０のネットワーク識別情報の一例であるＳＳＩＤのうち、特定部１５２によって、無線通信部１６の探索対象から一旦消失し、その後再出したＳＳＩＤが特定される。そして、無線接続処理部１５３は、特定部１５２により特定されたＳＳＩＤに対応する無線通信デバイス２０を接続対象デバイスとして、接続対象デバイスとの無線接続処理（仮接続）が行われる。これにより、例えば機種が同一であるために、同一の仮接続用ＳＳＩＤを有する無線通信デバイス２０がＰＣ１１の周囲に複数存在する場合であっても、ＳＳＩＤの消失・再出により接続対象とすべき無線通信デバイス２０を認識して適切に無線接続することができる。
【００７８】
（２）第１案内部１５４は、接続対象の無線通信デバイス２０（接続対象デバイス）の無線機能を実現するソフトＡＰ３１４をオフする第１操作の一例として電源オフ操作を促す案内を案内画面７１（図３）の表示により行う。第２案内部１５５は、接続対象の無線通信デバイス２０の無線機能を実現するソフトＡＰ３１４をオンする第２操作の一例として電源オン操作を促す案内を案内画面７３の表示により行う。無線接続処理部１５３は、探索により発見された無線通信デバイス２０のＳＳＩＤのうち、探索部１５１の探索対象から第１操作（電源オフ操作）により消失し、且つ第２操作（電源オン操作）により再出した仮接続用ＳＳＩＤに対応する無線通信デバイス２０を接続対象とし、その接続対象の無線通信デバイス２０との無線接続（仮接続）を確立する。よって、ユーザーは第１案内部１５４の案内に従って第１操作（電源オフ操作）を行えば、無線機能がオフになる。さらに、ユーザーは第２案内部１５５による案内に従って第２操作（電源オン操作）を行えば、ソフトＡＰ３１４の無線機能がオンになる。このようにユーザーに操作を促す案内をするので、ユーザーの操作による無線機能のオフとオンによって、接続対象デバイスを無線通信装置１０に知らせることができ、所望の無線通信デバイス２０と無線通信装置１０とを簡単に無線接続することができる。
【００７９】
（３）ソフトＡＰ３１４（無線機能）をオフする第１操作と、ソフトＡＰ３１４（無線機能）をオンする第２操作とのうち少なくとも一方は、無線通信デバイス２０（印刷装置２１）の電源をオン／オフさせる際に操作される電源ボタン２４Ａ（電源操作部）の操作によって行われる。電源のオン／オフの際に操作される電源ボタン２４Ａなので、無線機能のオン／オフに用いても違和感がない。
【００８０】
（４）無線機能をオフする第１操作（電源オフ操作）と、無線機能をオンする第２操作（電源オン操作）とのうち少なくとも一方は、無線通信デバイス２０である印刷装置２１の電源をオン・オフさせる際に操作される電源ボタン２４Ａの操作によって行われる。電源のオン・オフの際に操作される電源ボタン２４Ａなので、電源ボタン２４Ａを無線機能のオン・オフに用いても違和感がない。
【００８１】
（５）無線通信装置１０（ＰＣ１１）は、探索部１５１の探索により発見されたＳＳＩＤのリストからユーザーの第１操作（電源オフ操作）によって消失した仮接続用ＳＳＩＤに対応するＭＡＣアドレス（デバイス識別情報の一例）を取得して記憶部１７に記憶する。その後同じＭＡＣアドレスに対応する仮接続用ＳＳＩＤが再出した場合に、無線接続処理部１５３は、その仮接続用ＳＳＩＤの無線通信デバイス２０を接続対象デバイスとして無線接続する。
【００８２】
（６）第１操作（電源オフ操作）によりいずれかの無線通信デバイス２０の仮接続用ＳＳＩＤが消失してから、第２操作（電源オン操作）を促す案内を行う。
（７）無線通信装置の無線接続処理部は、接続対象デバイスと無線接続すると、アクセスポイント５０（無線中継機の一例）に接続するため自身に設定されたＳＳＩＤ及び暗号鍵（無線接続情報の一例）を、無線接続を介して接続対象の無線通信デバイス２０に送信する。接続対象の無線通信デバイス２０がＳＳＩＤ及び暗号鍵に従ってアクセスポイント５０の無線ネットワークに参加することで、アクセスポイント５０を介してＰＣ１１と無線通信デバイスとの間の無線接続が確立される。よって、無線接続を介してＳＳＩＤ及び暗号鍵を送信するので、アクセスポイント５０を介した無線通信装置１０と無線通信デバイス２０との間の無線接続を確立できる。
【００８３】
（第２実施形態）
次に図８を参照して、第２実施形態について説明する。前記第１実施形態では、無線通信デバイス２０の無線機能をオフさせるために電源ボタン２４Ａをオフ操作すると、ソフトＡＰ３１４のみならず電源もオフさせていた。これに対して、本実施形態では、ソフトＡＰ３１４をオフさせるものの、無線通信デバイス２０の電源はオフさせない。無線通信システムＷＣＳの構成は基本的に第１実施形態と同様であり、無線通信デバイス２０における処理のみが異なる。以下に示す図８における処理の説明では、無線通信装置１０をＰＣ１１とし、無線通信デバイス２０を印刷装置２１とした例で説明する。なお、本実施形態では、第１操作及び第２操作のうち少なくとも無線機能をオフさせる第１操作は、電源ボタン２４Ａのオフ操作により行われるものとする。
【００８４】
図８に示すように、ユーザーによる簡単接続開始操作に基づくＰＣ１１の第１制御部１５が行う各処理（Ｓ１１〜Ｓ１５）、及び印刷装置２１が行う各処理（Ｓ３１，Ｓ３２）は、第１実施形態と同様である。この処理までに、ＰＣ１１の第１制御部１５は、ＳＳＩＤスキャン（Ｓ１３）を行って、仮接続用ＳＳＩＤを発見し（Ｓ１４）、発見した仮接続用ＳＳＩＤのＭＡＣアドレスを記憶部１７に保存する（Ｓ１５）。なお、仮接続用ＳＳＩＤは複数発見され、それぞれに対応する複数のＭＡＣアドレスが記憶部１７に保存されたものとする。
【００８５】
図８に示すように、ＰＣ１１の表示部１４には、ユーザーに印刷装置２１の電源オフ操作を促す図３に示す案内画面７１が表示される（Ｓ１６）。ユーザーは案内画面７１の指示に従って、接続対象の印刷装置２１（２１Ｂ）の電源ボタン２４Ａをオフ操作する。すると、印刷装置２１内の第２制御部３１は、起動中のソフトＡＰ３１４をオフしてその起動を停止させる（Ｓ３４）。このとき、第２制御部３１は、第１実施形態の図６のステップＳ３３で行った印刷装置２１の電源オフを行わない。このため、印刷装置２１は電源オン状態を維持する。
【００８６】
ＰＣ１１内の第１制御部１５は、図３に示す案内画面７１の表示に続き、ＳＳＩＤスキャンを行っている（Ｓ１７）。１つ以上の仮接続用ＳＳＩＤが消えると（Ｓ１８で肯定判定）、その消えたＳＳＩＤに対応するＭＡＣアドレスを、接続用として記憶部１７の所定記憶領域に保存する（Ｓ１９）。続いて第１制御部１５は、１つ以上の仮接続用ＳＳＩＤが消えたことを確認した旨の通知画面７２（図４）と、印刷装置２１の電源オン操作を促す図５に示す案内画面７３を表示部１４に順次表示させる（Ｓ２０）。なお、本実施形態では、図４に示す通知画面７２には、第１実施形態で表示された電源オフを確認した旨を通知するメッセージに替え、無線機能のオフを確認した旨を通知するメッセージが表示される。
【００８７】
ユーザーは、図５の案内画面７３の指示に従って、接続対象の印刷装置２１の電源ボタン２４Ａを押下する電源オン操作を行う。印刷装置２１の第２制御部３１は、電源ボタン２４Ａが押下された際の信号を入力すると、ソフトＡＰ３１４をオンさせてこれを起動させる（Ｓ３６）。このとき、印刷装置２１は電源オン状態にあるので、第２制御部３１は、第１実施形態における図６のステップＳ３５で行った印刷装置２１の電源をオンさせる起動処理を行う必要がない。
【００８８】
電源オン操作を促す図５の案内画面７３の表示に続き、ＰＣ１１の第１制御部１５は、ＳＳＩＤスキャンを行っている（Ｓ２１）。このＳＳＩＤスキャンの期間で、消えていたＳＳＩＤがソフトＡＰ３１４のオンによって再出し、接続用ＭＡＣアドレスと一致する仮接続用ＳＳＩＤを発見すると（Ｓ２２で肯定判定）、その接続用ＭＡＣアドレスで特定される印刷装置２１と仮接続用ＳＳＩＤに基づき仮接続する。このとき、印刷装置２１では、ソフトＡＰ３１４が仮接続用ＳＳＩＤに基づきＰＣ１１と仮接続する。こうしてＰＣ１１と印刷装置２１は、仮接続用ＳＳＩＤに基づき仮接続される。
【００８９】
このように本実施形態では、印刷装置２１の電源オフ操作を行ったときに、ソフトＡＰ３１４をオフさせるだけで印刷装置２１の電源はオフさせない。よって、印刷装置２１は、電源オン状態に維持されるので、その後、ユーザーが電源オン操作を行ったときに、印刷装置２１の起動を待つ待機時間が発生しない。この結果、ＰＣ１１と印刷装置２１とを仮接続させるまでに要する処理時間を相対的に短く抑えることができる。したがって、無線設定処理の開始時点から本接続を完了して無線設定処理を終えるまでの所要時間を相対的に短く抑えることができる。よって、無線通信デバイス２０への無線接続情報の設定を、第１実施形態の構成に比べ、短時間で行うことができる。
【００９０】
以上詳述した第２実施形態によれば、第１実施形態で述べた前記（１）〜（７）の効果を同様に得られる他、以下に示す効果が更に得られる。
（８）無線通信デバイス２０の電源オフ操作の際にソフトＡＰ３１４をオフするものの、無線通信デバイス２０の電源はオフしないので、その後の電源オン操作時にソフトＡＰ３１４をオンするだけで、無線通信デバイス２０の電源をオンして起動させる必要がない。よって、無線通信デバイス２０への無線接続情報の設定処理を比較的短時間で済ませることができる。
【００９１】
（第３実施形態）
次に図９を参照して、第３実施形態について説明する。前記第１及び第２実施形態では、ソフトＡＰ３１４のオフ時とオン時の２回に亘りユーザーが電源ボタン２４Ａを操作する必要があったが、本実施形態では、電源ボタン２４Ａの操作が、ソフトＡＰ３１４をオフさせるときの１回で済む点が前記各実施形態と異なる。無線通信システムＷＣＳの構成は基本的に第１実施形態と同様であり、無線通信デバイス２０の処理のみが異なる。なお、無線通信デバイス２０の第２制御部３１を構成するＣＰＵは、例えばクロック信号を入力してそのパルスエッジの数を計数するカウンターからなるタイマー（図示しない）を備える。以下、図９を用いた説明では、無線通信装置１０をＰＣ１１とし、無線通信デバイス２０を印刷装置２１とした例で説明する。
【００９２】
ＰＣ１１の第１制御部１５は、ＳＳＩＤスキャンの結果（図６、図８のＳ１３）、仮接続用ＳＳＩＤを発見すると（図６、図８のＳ１４で肯定判定）、仮接続用ＳＳＩＤのＭＡＣアドレスを記憶部１７の所定記憶領域に保存する（図６、図８のＳ１５）。ここでまでの処理を終えた後、その続きの処理として図９に示される処理が開始される。
【００９３】
図９に示すように、ＰＣ１１（無線通信装置１０）の第１制御部１５は、表示部１４に印刷装置２１の電源オフ操作を促す図３の案内画面７１を表示させる（Ｓ１６）。続いて、ＰＣ１１内の第１制御部１５は、仮接続用ＳＳＩＤスキャン（Ｓ１７）を行って、仮接続用ＳＳＩＤが１つ以上消えたか否かを判断する（Ｓ１８）。消えたＳＳＩＤが存在すると（Ｓ１８で肯定判定）、その消えたＳＳＩＤに対応するＭＡＣアドレスを接続用として記憶部１７の所定記憶領域に保存する（Ｓ１９）。また、第１制御部１５は、消えたことを確認した旨を通知する通知画面７２（図４）と、電源オン操作を促す旨の案内画面７３（図５）とを表示部１４に順次表示させる。
【００９４】
ユーザーは案内画面７１の指示に従って、接続対象の印刷装置２１（無線通信デバイス２０）の電源ボタン２４Ａをオン操作する。すると、印刷装置２１内の第２制御部３１は、起動中のソフトＡＰ３１４をオフしてその起動を停止させる（Ｓ３４）。このとき、第２制御部３１は、印刷装置２１の電源はオフさせない。第２制御部３１は、ソフトＡＰ３１４をオフさせた時点からの経過時間をタイマーに計時させる。そして、タイマーの計時時間が設定時間に達したか否かを判断する（Ｓ４０）。ソフトＡＰ３１４をオフした時点から設定時間を経過すると、第２制御部３１は、ソフトＡＰ３１４をオンさせてこれを起動させる（Ｓ３６）。なお、設定時間は、探索部１５１が探索エリア内の全てのＳＳＩＤを発見するのに必要な所要時間に少しのマージン時間を加えた値に設定されている。設定時間は、例えば１００ミリ秒〜５秒の範囲内の値である。
【００９５】
このソフトＡＰ３１４のオンに続き、印刷装置２１の第２制御部３１は、仮接続用ＳＳＩＤと属性とのブロードキャストを行う（Ｓ３７）。ＳＳＩＤスキャンを開始していた第１制御部１５は、消えていたＳＳＩＤがソフトＡＰ３１４のオンによって再出し、その再出によって接続用ＭＡＣアドレスと一致する仮接続用ＳＳＩＤを発見すると（Ｓ２２で肯定）、仮接続用ＳＳＩＤに基づき印刷装置２１とピアツーピア（Ｐ２Ｐ）で仮接続する。また、このとき、印刷装置２１では、ソフトＡＰ３１４が仮接続用ＳＳＩＤに基づきＰＣ１１と仮接続する。こうしてＰＣ１１と印刷装置２１は仮接続用ＳＳＩＤに基づき仮接続される。
【００９６】
このように本実施形態では、ユーザーが電源ボタン２４Ａを操作して印刷装置２１内のソフトＡＰ３１４をオフさせる操作を１回行えばよく、その後、ソフトＡＰ３１４をオンさせる操作を行わなくて済む。そのため、ユーザーが無線設定を行ううえで必要な操作部２４の操作回数を減らすことができる。
【００９７】
また、第２実施形態と同様に、ユーザーが案内画面７１に従って、印刷装置２１の電源オフ操作を行っても、ソフトＡＰ３１４がオフするだけで印刷装置２１の電源はオフされない。よって、電源ボタン２４Ａをオフ操作してソフトＡＰ３１４をオフさせた後、印刷装置２１の電源オン時の起動時間を待つ必要がないので、ＰＣ１１と印刷装置２１とを仮接続させるまでの所要時間を相対的に短く済ませることができる。したがって、無線設定処理の開始時点から仮接続を完了するまでの所要時間を相対的に短く済ませることができる。よって、無線通信デバイス２０へのネットワーク識別情報を含む無線接続情報の設定を、第１実施形態の構成よりも、短時間に行うことができる。
【００９８】
（９）第１案内部１５４は、接続対象の無線通信デバイス２０のソフトＡＰ３１４の無線機能をオフする電源オフ操作（第１操作）を促す案内を行う。無線通信装置１０は、探索により発見された仮接続用ＳＳＩＤのうち、電源オフ操作により無線通信部１６の探索対象から消失し、且つ設定時間経過後に再出した仮接続用ＳＳＩＤに対応する無線通信デバイス２０を接続対象デバイスとして、この無線通信デバイス２０との仮接続（無線接続）を確立する。よって、設定時間を経過すれば、ソフトＡＰ３１４（無線機能）がオンして再出するので、接続対象デバイスの無線機能をオンする操作を促す案内を行う必要がないうえ、ユーザーに無線機能をオンさせるために操作部２４を操作させる必要がない。
【００９９】
（第４実施形態）
次に第４実施形態について説明する。第３実施形態において、スタンドアロンで使用されている印刷装置２１を特定できる構成とし、第１操作（電源オフ操作）と第２操作（電源オン操作）を共にユーザーには行わせない構成である。例えば印刷装置２１がタイマーの計時時間に基づいて所定時点から設定時間が経過したことをもってソフトＡＰ３１４のオフとオンを自動で行う。例えば初回電源オン時に無線設定が行われていないスタンドアロンで使用されている他の同機種の印刷装置が存在する場合、そのスタンドアロンの印刷装置２１の記憶部には、無線設定が未設定である旨の未設定機器情報が保存されている。ユーザーが無線通信装置１０にセットアップディスク６０をセットすると、第１制御部１５は、無線設定支援プログラムを起動する。まず表示部１４に無線通信デバイス２０の電源オン操作を促す不図示の案内画面を表示部１４に表示させる。ユーザーはこの案内画面の指示に従って無線通信デバイス２０の電源オン操作を行う。この結果、無線通信デバイス２０（例えば印刷装置２１）は電源オンされる。このとき、スタンドアロンである旨の未設定機器情報が記憶部３４に設定されている場合、第２制御部３１は、ユーザーに無線接続情報の設定の意思がないものとして、以降の処理を中止する。そして、未設定機器情報が設定されていない場合、ソフトＡＰ３１４をオンにする。無線通信デバイス２０の第２制御部３１は、電源オン操作信号の入力時点又はソフトＡＰ３１４のオン時点からの経過時間をタイマーに計時させる。そして、タイマーの計時時間が第１の設定時間に達すると、第２制御部３１はソフトＡＰ３１４をオフする。この第１の設定時間は、無線通信装置１０のソフトＡＰ３１４のオン時間から無線通信デバイス２０が、無線通信デバイス２０からブロードキャストされたＳＳＩＤを発見できるに十分な時間に設定されている。そのため、無線通信装置１０の探索部１５１は、ユーザーが電源オンした無線通信デバイス２０からの仮接続用のＳＳＩＤを発見する。無線通信装置１０の特定部１５２は、探索で発見された仮接続用ＳＳＩＤのうち一旦消え、その後再出したＳＳＩＤを無線設定対象として特定する。このとき、ＳＳＩＤが消えたときに、消えたＳＳＩＤに対応する無線通信デバイス２０のＭＡＣアドレスを記憶部１７に保存する。
【０１００】
次に第２制御部３１は、ソフトＡＰ３１４のオフ時点からの経過時間をタイマーに計時させ、タイマーの計時時間が第２の設定時間に達すると、ソフトＡＰ３１４をオンする。第２の設定時間は、無線通信装置１０の第１制御部１５が、探索で発見されたＳＳＩＤのうちいずれか１つが消えたことを確認するうえで十分な時間に設定されている。このソフトＡＰ３１４のオフとオンにより、無線通信装置１０では、複数発見された同じ仮接続用ＳＳＩＤのうち一旦消えてから再出したＳＳＩＤを無線設定対象として特定する。こうして無線通信装置１０は、無線通信デバイス２０を特定して仮接続を行うことができる。このようスタンドアロンで使用される印刷装置２１を特定できる場合は、ソフトＡＰ３１４のオフとオンを第２制御部３１がユーザー操作に依らず自動で行う。このため、ユーザーが操作部２４を操作しなくても、無線通信装置１０をユーザーが無線接続情報の設定を希望する無線通信デバイス２０と仮接続することができる。
【０１０１】
なお、上記各実施形態は以下のような形態に変更することもできる。
・仮接続の無線通信方式は、無線通信装置と無線通信デバイスとのうち少なくとも一方がアクセスポイント機能を有し無線中継機として機能する方式であればよい。例えば無線通信装置１０にソフトアクセスポイントが内蔵されていてもよいし、無線通信装置１０と無線通信デバイス２０の両方にソフトアクセスポイントがそれぞれ内蔵されていてもよい。
【０１０２】
・無線通信装置１０との仮接続により無線通信デバイス２０に無線接続情報を設定し、無線通信デバイス２０を本接続させる構成としたが、アクセスポイント機能を備えた無線通信デバイス２０と無線通信装置１０とをピアツーピアで接続することができれば、その接続は仮接続に限らず本接続であってもよい。また、仮接続である場合でも、その仮接続で行う処理は、無線接続情報の設定処理に限らず、他の設定処理又は設定処理以外の他の処理であってもよい。例えば仮接続により印刷制御プログラムなどのプログラムや、無線通信デバイス２０の機能を追加するプログラムを無線通信装置１０から無線通信デバイス２０へ送信する構成としてもよい。
【０１０３】
・ネットワーク識別情報としてのＳＳＩＤはＥＳＳＩＤ（Extended Service Set Identifier）を含むものとして構成してもよいし、ネットワーク識別情報として、ＳＳＩＤのかわりにＢＳＳＩＤ（Basic Service Set Identifier）を用いてもよい。また、仮接続または本接続を確立するための無線接続情報には、暗号鍵などの何らかのパスフレーズを含めることが望ましいが、必ずしも暗号鍵を含めなくてもよい。
【０１０４】
・簡単接続処理を開始するトリガーを、印刷装置２１の電源ボタン２４Ａをはじめて操作したときとしたが、電源ボタン２４Ａのオン操作に加え、表示部１４のメニューで指示された電源ボタン２４Ａ以外の所定の他の操作ボタン２４Ｂを操作することによってもよい。この場合は、印刷装置２１にとってはじめての操作でなくてもよい。
【０１０５】
・仮接続と本接続は異なる無線通信方式でもよい。本接続は無線ＬＡＮとし、仮接続の無線通信方式として、例えば無線ＬＡＮの代わりに、ＢｌｕｅＴｏｏｔｈ（登録商標）や赤外線通信（ＩｒＤＡ等）の方式を用いてもよい。また、本接続を、無線ＬＡＮの代わりにＢｌｕｅＴｏｏｔｈ（登録商標）や赤外線通信（ＩｒＤＡ等）の方式を用いてもよい。無線ＬＡＮ以外の通信方式の場合は、探索時にネットワーク識別情報以外の情報を探索してもよい。
【０１０６】
・前記各実施形態において、無線通信装置をＰＣとし、無線通信デバイスを印刷装置とし、ＰＣから印刷装置に対して無線接続情報の設定を支援したが、逆にしてもよい。すなわち、無線通信装置を印刷装置とし、無線通信デバイスをＰＣとし、印刷装置がＰＣに対してＰＣのアクセスポイント機能を使って、無線接続情報の設定を支援する無線設定支援処理を行ってもよい。
【０１０７】
・前記各実施形態において、無線通信装置をＰＣとし、無線通信デバイスを印刷装置としたが、他の組合せとしてもよい。例えば、無線通信装置と無線通信デバイスとが、共に印刷装置であってもよいし、共にＰＣであってもよい。さらに無線通信装置と無線通信デバイスとの組合せが、ＰＣと携帯端末との組合せ、携帯端末と印刷装置との組合せであってもよい。さらに無線通信デバイスは、印刷装置に替え、スキャナー装置（画像読取装置）、ファクシミリ、デジタルカメラ、プロジェクター等の映像機器、家電製品、スマートフォンなど、その他の電子機器でもよい。なお、印刷装置の場合、スキャン機能及びファクシミリ機能等を備えた複合機であってもよい。
【０１０８】
・探索で同じネットワーク識別情報が複数発見される場合としては、仮接続用のネットワーク識別情報（例えばＳＳＩＤ）が無線通信デバイス２０の機種で共通の場合に限らない。例えばメーカーで共通の場合、さらに無線通信デバイスの発売時期や生産時期などの時期ごとに共通の場合、生産ロットごとに共通の場合、販売地域や生産地域等の地域ごとに共通の場合などでもよい。また、仮接続用のネットワーク識別情報が無線通信デバイス２０ごとに個別に設定されている場合でも、何らかの理由により同じネットワーク識別情報が存在した場合でもよい。要するに、同じネットワーク識別情報を有する無線通信デバイスが、同じ無線ネットワークに複数発見される状況が発生する構成であれば足りる。
【０１０９】
・第１制御部１５が行う無線設定支援処理は、プログラムを実行するコンピューターによりソフトウェアで実現された構成に限定されず、例えば電子回路によりハードウェアで実現されたり、ソフトウェアとハードウェアとの協働により実現されたりしてもよい。
【符号の説明】
【０１１０】
１０…無線通信装置、１１…パーソナルコンピューター（ＰＣ）、１３…操作部、１４…表示部、１５…第１制御部、１６…無線通信部、１７…記憶部、２０，２０Ａ〜２０Ｃ…無線通信デバイス、２１，２１Ａ〜２１Ｃ…印刷装置、２３…操作パネル、２４…操作部、２４Ａ…電源操作部の一例としての電源ボタン、２４Ｂ…操作ボタン、２５…表示部、３１…第２制御部、３２…無線通信部、３３…印刷部、３４…記憶部、５０…無線中継機の一例としてのアクセスポイント、１５１…探索部、１５２…特定部、１５３…無線接続処理部、１５４…第１案内部、１５５…第２案内部、３１１…仮接続通信部、３１２…本接続通信部、３１３…通信設定部、３１４…ソフトアクセスポイント（ソフトＡＰ）、ＷＣＳ…無線通信システム。
【図１】
2017034560.tif 000003
【図２】
2017034560.tif 000004
【図３】
2017034560.tif 000005
【図４】
2017034560.tif 000006
【図５】
2017034560.tif 000007
【図６】
2017034560.tif 000008
【図７】
2017034560.tif 000009
【図８】
2017034560.tif 000010
【図９】
2017034560.tif 000011